(57)【特許請求の範囲】
【請求項１】
ベースの各固定接点の上方に、先端を可動接点とした各接点ばね片を備えた接点ばね片プレート、各アームの先端にローラー状の各中間カムを備えた中間カムプレート、下面に複数の円弧状の突条を備えた円板状のローターを順に設置し、
ローターの回転操作によりローターの下面の突条に中間カムプレートの中間カムが順次乗り上げると同時に垂直下降して、接点ばね片プレートの接点ばね片を下方反曲してその可動接点を固定接点に接触（ＯＮ）し、中間カムが突条から下りると同時に垂直上昇して接点ばね片が復元上昇してその可動接点が固定接点から離隔（ＯＦＦ）するように備えたロータリースイッチであって、
ベースは、上面の中心にローターの中心軸若しくは中心軸孔と嵌合する中心軸孔若しくは中心軸を設けると共に、ローターのリムの外周の相対位置に該リムを係合してベース上面とローター下面を設定間隔に取付けるための設定数の係合爪を突設し、また、上記中心を中心とした設定数の想定同心円線上に設定数の固定接点を設けると共に該固定接点に連続して外部出入力用の端子を設けたものであり、
接点ばね片プレートは、１枚のばね板を切り抜いてプレート部分の各設定位置に先端を可動接点とした接点ばね片を突出形成し、プレート部分をベースに設置すると共に各接点ばね片の可動接点を固定接点の上方に位置せしめたものであり、
中間カムプレートは、設定数のアームを備えたプレートの各アームの先端に、左右に軸を突設したローラー状の中間カムを固着し、該中間カムの軸を、ベースの各固定接点に近接した位置に突設した軸受の垂直方向に長い軸孔若しくは軸溝に上下移動自在に軸架し、
各中間カムを各接点ばね片上に載置し、各接点ばね片の上端をその上方付勢力でローターの下面に圧接した状態に、接点ばね片とローターの間に介在設置するものであり
ローターは、円板の中心点に中心軸若しくは中心軸孔を設け、外周部にベースの係合爪に係合するリムを突設すると共に、ローターの回転操作用のギアを形成し、円板下面の各想定同心円線上に突条を突設したものであり、該突条の円弧長寸法、間隔等は、ローターの回転操作における可動接点と固定接点の接触（ＯＮ）状態の長短即ち信号受発信数、時間等及び接触のタイミング等に応じ長短及び間隔を自在に調整して設定したものである、
ロータリースイッチ。
【発明の詳細な説明】
【０００１】
【産業上の利用分野】
ベースの各固定接点の上方に、先端を可動接点とした各接点ばね片、ローラー状等の各中間カム、下面に複数の円弧状の突条を備えた円板状のローターを順に設置し、ローターの回転操作によりローターの下面の各突条に各中間カムが順次乗り上げると同時に垂直下降して各接点ばね片を下方反曲してその可動接点を各固定接点に接触（ＯＮ）し、中間カムが突条から下りると同時に垂直上昇して接点ばね片が復元上昇してその可動接点が固定接点から離隔（ＯＦＦ）するように備えた、ロータリースイッチを提供する。
【０００２】
【従来の課題】
従来のロータリースイッチは、ベース内面上の複数の想定同心円線上に各設定長の円弧状の固定接点を露出形成する一方、外周にギヤを形成した円板状のローターの下面に、先端を可動接点とした複数枚の接点ばね片を並列して１枚の櫛状に形成したもの（通称，ブラシ）を一体的に固着し、ベースの中心軸孔にローターの中心軸を嵌挿して、ブラシの各接点をベースの内面上に圧接した状態に取付け、
【０００３】
ギヤによるローターの回転操作でベースの内面上を接触摺動する各可動接点が順次固定接点上を接触摺動（ＯＮ）し、可動接点が固定接点上から外れるとＯＦＦするように設けられている。
【０００４】
従って、各接点ばね片の可動接点はローターと同転して常にベースの内面上
（絶縁面及び固定接点）を圧接摺動するため、ローターの回転即ち可動接点の接触摺動を常時円滑に保持するため、必ずグリースを塗布していた。
なお、上記円滑性が損なわれると信号の誤発受信や雑音混入の原因となる。
【０００５】
ところが上記グリースの使用には下記のような課題があった。
（１）接点の接触面にグリースの薄膜が介在することとなって、接点の接触導通が必ずしも良好でない。
（２）摺動摩擦によって生じた微細粒子の混入や塵埃の混入などによりグリースが汚損し、潤滑効果、導電効果が低下する。
（３）長期間経過等によりグリースの組成に固化、劣化が生じ、潤滑性、導電性等が低下する。
【０００６】
また、上記のように可動接点と固定接点の金属同志が直接に圧接摺動するため、摺動研磨により金属微細粒子が発生すると共に、それらの介在により接触不良が生じやすく、また各部位の接触状態の変動によりノイズが発生する等の難点があった。
【０００７】
従って、グリースを使用しないですみ、また接点同志の接触が圧接摺動でないようなロータリースイッチの提供が課題とされてきたが、本発明はそれらの課題を解決したものである。
【０００８】
【課題を解決する手段】
即ち、本発明は、ベースの各固定接点の上方に、先端を可動接点とした各接点ばね片を備えた接点ばね片プレート、各アームの先端にローラー状の各中間カムを備えた中間カムプレート、下面に複数の円弧状の突条を備えた円板状のローターを順に設置し、
【０００９】
ローターの回転操作によりローターの下面の突条に中間カムプレートの中間カムが順次乗り上げると同時に垂直下降して、接点ばね片プレートの接点ばね片を下方反曲してその可動接点を固定接点に接触（ＯＮ）し、中間カムが突条から下りると同時に垂直上昇して接点ばね片が復元上昇してその可動接点が固定接点から離隔（ＯＦＦ）するように備えたロータリースイッチであって、
【００１０】
ベースは、上面の中心にローターの中心軸若しくは中心軸孔と嵌合する中心軸孔若しくは中心軸を設けると共に、ローターのリムの外周の相対位置に該リムを係合してベース上面とローター下面を設定間隔に取付けるための設定数の係合爪を突設し、また、上記中心を中心とした設定数の想定同心円線上に設定数の固定接点を設けると共に該固定接点に連続して外部出入力用の端子を設けたものであり、
【００１１】
接点ばね片プレートは、１枚のばね板を切り抜いてプレート部分の各設定位置に先端を可動接点とした接点ばね片を突出形成し、プレート部分をベースに設置すると共に各接点ばね片の可動接点を固定接点の上方に位置せしめたものであり、
【００１２】
中間カムプレートは、設定数のアームを備えたプレートの各アームの先端に、左右に軸を突設したローラー状の中間カムを固着し、該中間カムの軸を、ベースの各固定接点に近接した位置に突設した軸受の垂直方向に長い軸孔若しくは軸溝に上下移動自在に軸架し、
各中間カムを各接点ばね片上に載置し、各接点ばね片の上端をその上方付勢力でローターの下面に圧接した状態に、接点ばね片とローターの間に介在設置するものであり
【００１３】
ローターは、円板の中心点に中心軸若しくは中心軸孔を設け、外周部にベースの係合爪に係合するリムを突設すると共に、ローターの回転操作用のギアを形成し、円板下面の各想定同心円線上に突条を突設したものであり、該突条の円弧長寸法、間隔等は、ローターの回転操作における可動接点と固定接点の接触（ＯＮ）状態の長短即ち信号受発信数、時間等及び接触のタイミング等に応じ長短及び間隔を自在に調整して設定したものである、ロータリースイッチによって、上記の課題を解決したものである。
【００１４】
【実施例】
本発明の実施例を図面につき説明する。
「ロータリースイッチＡの全体」（図１〜図３）
ベース１は上面の１点を中心点とした設定数の想定同心円線ａ、ｂ、ｃ、ｄ…上に設定数の固定接点３（コモン回路用を除く）を備えたものであり、該ベース１上に、先端を可動接点４とした接点ばね片４ａを、その可動接点４を固定接点３の上方位置に相対して備えたものであり、ローター６は円板６ａ下面の中心を中心点として上記ベース１の想定同心円線ａ、ｂ、ｃ、ｄ…と相対した想定同心円線ａ′、ｂ′、ｃ′、ｄ′…上にそれぞれ設定長の突条８を突設したものであり、上記各接点ばね片４ａ上に、中間カム５を上下動自在及び接点ばね片４ａのばね力で上方付勢した状態に載置すると共に、該中間カム５上に上記ローター６をその中心をベース１の中心に合わせて回転自在に備えて、中間カム５をローター６の下面に接点ばね片４ａの上方付勢力で圧接して備えたものである、ロータリースイッチＡであって、
【００１５】
上記ローター６の回転によりその下面の各突条８に各中間カム５が順次乗り上げると同時に垂直下降して各接点ばね片４ａを下方反曲し、その可動接点４が固定接点３に接触（ＯＮ）し、中間カム５が突条８から下りると同時に垂直上昇して接点ばね片４ａが復元上昇し、その可動接点４が固定接点３から離隔（ＯＦＦ）するように備えたロータリースイッチＡである。
【００１６】
「ベース」（図４参照）
上記ロータリースイッチＡにおいて、ベース１は、例えば、その上面の中心にローター６の中心軸７を嵌合する中心軸孔２を設けると共に、ローター６のリム１０ｂの外周の相対位置に該リム１０ｂを係合してベース１上面とローター６下面を設定間隔に取付けるための設定数の係合爪１１を突設し、また、上記中心を中心とした設定数の想定同心円線ａ、ｂ、ｃ、ｄ…上に設定数の固定接点３を設けると共に該固定接点３に連続して外部出入力用の端子３ａを設けたものであり、ベース１の絶縁性プラスチックによる成形時に固定接点３、端子３ａをインサート成形して設けたものである。
【００１７】
「接点ばね片」
接点ばね片４ａは、例えば、先端部を可動接点４とした設定枚数の接点ばね片４ａを設け、各接点ばね片４ａの基部をベースの一部に固着して、その可動接点４を固定接点３の上方に設置せしめたものであり、（図示せず）
【００１８】
また、例えば、（図７参照）１枚のばね板を切り抜いて各設定位置に先端を可動接点４とした接点ばね片４ａを突出形成した接点ばね片プレート４ｂを備え、該接点ばね片プレート４ｂのプレート部４ｃをベース１に設置すると共に各接点ばね片４ａの可動接点４を固定接点３の上方に位置せしめたものである。
【００１９】
「中間カム」
中間カム５はローラー状のカムを接点ばね片４ａ上に載置すると共にその上端を接点ばね片４ａの上方付勢力でローター６の下面に圧接した状態に、接点ばね片４ａとローター６の間に介在設置するカムであり、ローター６の突条８の高さ寸法だけ上下動し該上下動を接点ばね片４ａに伝達して接点ばね片４ａを同寸法反曲するように備えたものである。
【００２０】
「ローラー状の中間カム」（図５参照）
ローラー状の中間カム５は、左右に軸を突設したものであり、その軸を、ベース１の各固定接点３に近接した位置に突設した軸受９の垂直方向に長い軸孔若しくは軸溝９ａに上下移動自在に軸架して備えたものである。
【００２１】
「可撓性アームに固着した中間カム」
例えば、可撓性のアーム５ｂの先端に固着し、左右に軸を突設した短円柱状、球状等の中間カム５の軸を、ベース１の各固定接点３に近接した位置に突設した軸受９の垂直方向に長い軸孔若しくは軸溝９ａに上下移動自在に軸架して備えたものである。
【００２２】
「中間プレート」（図６参照）
例えば、設定数のアーム５ｂを備えたプレートの各アーム５ｂの先端に中間カム５を形成した中間カムプレート５ａを備え、該中間カムプレート５ａのプレート部５ｃをベース１若しくは接点ばね片プレート４ｂ等上に設置すると共に各アーム５ｂの先端の中間カム５を各接点ばね片４ａ上に載置するように備えたものである。
【００２３】
「ローター」（図８参照）
ローター６は、例えば、円板の中心点に中心軸７（若しくは中心軸孔）をもうけ、その外周部にベース１の係合爪１１に係合するリム１０ｂを突設すると共に、ローター６の回転操作用のギア１０を形成したものであり、
【００２４】
また、下面の各想定同心円線ａ′、ｂ′、ｃ′、ｄ′…上に突条８を突設したものであり、該突条８の円弧長寸法、間隔等は、ローター６の回転操作における可動接点４と固定接点３の接触（ＯＮ）状態の長短即ち信号受発信数、時間等及び接触のタイミング等に応じ長短及び間隔を自在に調整して設定するようにしたものである。
【００２５】
「実施例におけるロータリースイッチＡの製造」（図面参照）
ベース１上の１部に接点ばね片プレート４ｂを、その各接点ばね片４ａの可動接点４をベース１の各固定接点３の上方に位置せしめた状態に固着する。
【００２６】
次に、ローラー状の中間カム５を使用する場合（例、図１〜図５）は、該中間カム５を上記接点ばね片プレート４ｂの各接点ばね片４ａ上に載置し、その軸をベース１の軸受９の軸溝９ａに垂直上下移動自在に嵌合した状態に設置する。
【００２７】
また、中間カムプレート４ｂを使用する場合は、ベース１上の１部若しくは上記接点ばね片プレート４ｂのプレート部４ｃ上等に、中間カムプレートのプレート部５ｃを、その各アーム５ｂ先端の各中間カム５を各接点ばね片４ａ上に載置し、各中間カム５の軸をベース１の軸受９の軸溝９ａに垂直上下移動自在に嵌合した状態に設置する。
【００２８】
最後に、ローター６を、その中心軸７をベース１の中心軸孔２に嵌合すると共に、外周部のリム１０ｂをベース１の各係合爪１１に係合して、回転自在に設置して、ロータリースイッチＡを設ける。
【００２９】
なお、上記設置状態で、上記ローター６の下面が接点ばね片４ａのばね力で上方付勢された中間カム５の上端に圧接すると共に、該中間カム５を上記リム１０ｂと係合爪１１の係合位置まで押し下げると同時に接点ばね片４ａを下方反曲して、その各可動接点４とベース１の各固定接点３の離隔寸法を全て一定に保持するものである。
【００３０】
【作用】
ローター６を中心軸７を中心として回転操作すると、その円板６ａ下面の各突条８に各中間カム５がそれぞれ乗り上げ、その軸が軸溝９ａに沿って突条８の高さ寸法分だけ垂直下降して接点ばね片４ａを同寸法下方反曲し、よって、先端の可動接点４が降下して固定接点３に接触（ＯＮ）する。
【００３１】
中間カム５が突条８上にある間は両接点３、４は接触（ＯＮ）を続行し、信号（パルス）を発受信し続ける。
【００３２】
更なるローター６の回転で、中間カム５が突条８から絶縁部分に降りるとその分中間カム５が垂直上昇復元し、接点ばね片４ａも弾発復元し、両接点３、４が離隔（ＯＦＦ）するものである。
【００３３】
【効果】
ローターの回転操作でその円板下面に圧接している中間カムが回転若しくは摺動し乍ら突条に乗り上げ、それによる中間カムの垂直下降による下方押圧力によって接点ばね片が下方反曲されてその可動接点が固定接点に圧接されるので、
【００３４】
ローターの回転は定位置における中間カムの回転若しくは摺動に転換され、該中間カムは圧接した接点ばね片上で空転若しくは停止していて、接点ばね片に対しては下方押圧力のみを伝達するため、両接点の接離作用（ＯＮ、ＯＦＦ）に対してローターの回転力は全く影響が及ばず、従って、両接点は定位置に上下に相対設置した押圧式のスイッチの場合と同様な上下動による接離作用を行うだけである。その結果、両接点間にグリースを塗布する必要が全くない優れた効果がある。
【００３５】
上記の如く、中間カムを軸受に架設する等によって、ローターの回転に対して接点ばね片上の定位置で垂直上下移動するように備えたので、ローターの回転方向（右回転、左回転）に関係なく常に正確に垂直上下移動して、常に正確に可動背点と固定接点を接、離（ＯＮ、ＯＦＦ）できる。
【００３６】
そして、固定接点に対して、下方反曲した接点ばね片の可動接点が中間カムの垂直下降による押圧力で押し付けられるため、可動接点は固定接点に強く圧接
（完全導通）すると同時に、僅かにこじり付けられるように摩擦摺動することとなり、その結果、接点間のチャタリングが無くなると共に、常に接触面が研磨されることとなって接点の錆、汚れによる導通不良を生じる恐れがない。
【００３７】
常に、固定接点の正確な定位置に可動接点が接触するため貴金属メッキの範囲を小さく限定でき、その分コストを低下し得る。
【００３８】
ローターの中心軸をベースの中心軸に嵌合すると共に、ローターのリムをベースの係合爪に係合設置することによって、ベースにローターを両者の中心を一致した設定間隔に正確に位置決め設置でき、これによって、中間カムをローターの円板下部（絶縁部、突条）と接点ばね片上面に、接点ばね片のばね力を利用して常時同じ状態に圧接保持するように備えることができて、可動接点と固定接点間の距離を正確一定に設定し得るため、両接点のＯＮ、ＯＦＦのスイッチタイミングを極めて正確にまた容易に設定し得る利点がある。
【図面の簡単な説明】
【図１】  本発明実施例ロータリースイッチ（但しローターを透視した状態）の正面図。
【図２】  図１のＢ−Ｂ線断面矢視図。
【図３】  図２の作用説明図で、小ローラーがローターの突条に乗り上げて可動接点が固定接点に接触（ＯＮ）した状態の図。
【図４】  ベースの正面図、及び側面図。
【図５】  ローラー状の中間カムの正面図、及び側面図。
【図６】  短円柱状の中間カムをアーム先端に備えた中間カムプレートの正面図、及びＥＥ線矢視断面図。
【図７】  接点ばね片プレートの正面図、及びＣ−Ｃ矢線視断面図。
【図８】  ローターの正面図、及びＤ−Ｄ線矢視断面図。
【符号の説明】
ａ、ｂ、ｃ、ｄ          想定同心円線
ａ´、ｂ´、ｃ´、ｄ´  想定同心円線
１      ベース
２      中心軸孔
３      固定接点
３ａ    端子
４      可動接点
４ａ    接点ばね片
４ｂ    接点ばね片プレート
４ｃ    プレート部
５      中間カム
５ａ    中間カムプレート
５ｂ    アーム
５ｃ    プレート部
６      ローター
６ａ    下面
７      中心軸
８      突条
９      軸受
９ａ    軸溝
１０    ギヤ
１０ａ  リム
１１    係合爪
【図１】
0003819978.tif 000002
【図２】
0003819978.tif 000003
【図３】
0003819978.tif 000004
【図４】
0003819978.tif 000005
【図５】
0003819978.tif 000006
【図６】
0003819978.tif 000007
【図７】
0003819978.tif 000008
【図８】
0003819978.tif 000009